(57)【要約】【課題】巻き取りの芯となる芯部材にフィルムが巻かれてフィルムロールが構成され、該フィルムロールの端面に、当該両端面に外力が加わるのを抑制する平板状の保護板が被せられて成るフィルムロールの皺対策構造において、フィルムロールのフィルム部に重力に対する床面からの抗力が働くのを抑制することにより、フィルムロールの端面に皺が出来るのを抑制する。【解決手段】芯部材１１は中空のパイプから成り、芯部材１１の中空部内に保護板２１を貫通したキャップ２２を挿入された状態で、保護板２１がフィルムロール１０の端面に被せられる。芯部材１１と保護板２１とに挟まれる部分で、且つキャップ２２の周囲には、フィルムロール１０の重力を支える強度を備えたスペーサ２３を設け、フィルムロール１０に重力に対する抗力が生じる状態に置かれたとき、該抗力はスペーサ２３を介して保護板２１から芯部材１１に伝達される。【選択図】図３
2015081165.tif 000002
【特許請求の範囲】
【請求項１】
巻き取りの芯となる芯部材にフィルムが巻かれてフィルムロールが構成され、該フィルムロールの端面に、当該端面に外力が加わるのを抑制する平板状の保護板が被せられて成るフィルムロールの皺対策構造であって、
前記保護板を被せられたフィルムロールが前記保護板の板面から重力に対する抗力を受ける状態に置かれたとき、該抗力が前記フィルムロールに伝わることを回避し、前記芯部材に集中的に伝える構成を備えることを特徴とするフィルムロールの皺対策構造。
【請求項２】
請求項１において、
前記芯部材は中空のパイプから成り、
該芯部材の中空部内に保護板の中心から伸びる突起部を挿入された状態で、前記保護板が前記フィルムロールの端面に被せられ、
前記芯部材と前記保護板とに挟まれる部分で、且つ前記突起部の周囲には、前記フィルムロールの重力を支える強度を備えたスペーサを設け、前記フィルムロールに重力に対する抗力が生じる状態に置かれたとき、該抗力は前記スペーサを介して前記保護板から前記芯部材に伝達されることを特徴とするフィルムロールの皺対策構造。
【請求項３】
請求項２において、
前記フィルムロールと前記保護板との間で、且つ前記スペーサの周囲には、前記フィルムロールに加わる外力を和らげる緩衝材が介挿されていることを特徴とするフィルムロールの皺対策構造。
【発明の詳細な説明】
【技術分野】
【０００１】
本発明は、菓子袋や、食品、日用品等の包装材に加工されるフィルムがロール状に巻かれたフィルムロールの皺対策構造に関する。
【背景技術】
【０００２】
印刷用フィルムを印刷工程に運搬するためのフィルムロールにおいて運搬時にフィルムに出来る皺が問題となっている。皺の原因は、フィルムがロール状に巻かれて成るフィルムロールの端面角部が床面等によって圧迫されることによる場合が多い。即ち、フィルムロールは、その端面角部を下にして床面上を転がして運搬されることがあり、フィルムロールの当該角部が圧迫されて、当該角部に皺が出来てしまう。そこで、そのような状況でも皺が出来ないように工夫が成されている。下記特許文献１では、図５（Ａ）に示すように、フィルムロールＦの端面に設けられる硬質の保護板ＰとフィルムロールＦの端面との間に段ボール、発泡性プラスチック等の緩衝材Ｃを介挿し、更に、図５（Ｂ）に示すように、保護板Ｐの外周縁部の緩衝材Ｃ側部分に所定の空間Ｓを形成するようにしている。こうすることにより、図６（Ａ）、（Ｂ）に示すように、フィルムロールＦが、その端面角部を下にして床面上を転がして運搬されても、当該角部には緩衝材Ｃや所定の空間Ｓがあるため、フィルムロールＦの端面角部には重力に対する床面からの抗力が伝わらず皺も出来ない。
【先行技術文献】
【特許文献】
【０００３】
【特許文献１】特許第４１３０４０６号公報
【発明の概要】
【発明が解決しようとする課題】
【０００４】
しかし、繰り返し使用によって緩衝材Ｃが潰れてその緩衝機能を果たさなくなると、図６（Ａ）の場合のフィルムロールＦの端面角部、若しくは図６（Ｂ）の場合の空間Ｓ分だけ内径側に移動されたフィルムロールＦの端面のＡ部に、重力に対する床面からの抗力が伝わり、当該部分に皺が出来てしまう。
このような問題に鑑み本発明の課題は、フィルムロールのフィルム部に重力に対する床面からの抗力が働くのを抑制することにより、フィルムロールの端面に皺が出来るのを抑制することにある。
【課題を解決するための手段】
【０００５】
本発明の第１発明は、巻き取りの芯となる芯部材にフィルムが巻かれてフィルムロールが構成され、該フィルムロールの端面に、当該端面に外力が加わるのを抑制する平板状の保護板が被せられて成るフィルムロールの皺対策構造であって、前記保護板を被せられたフィルムロールが前記保護板の板面から重力に対する抗力を受ける状態に置かれたとき、該抗力が前記フィルムロールに伝わることを回避し、前記芯部材に集中的に伝える構成を備えることを特徴とする。
第１発明によれば、保護板からの抗力は芯部材に伝え、フィルムロールに伝わることを回避する構成を備えるため、フィルムロールの端面に皺ができるのを抑制することができる。
【０００６】
本発明の第２発明は、上記第１発明において、前記芯部材は中空のパイプから成り、該芯部材の中空部内に保護板の中心から伸びる突起部を挿入された状態で、前記保護板が前記フィルムロールの端面に被せられ、前記芯部材と前記保護板とに挟まれる部分で、且つ前記突起部の周囲には、前記フィルムロールの重力を支える強度を備えたスペーサを設け、前記フィルムロールに重力に対する抗力が生じる状態に置かれたとき、該抗力は前記スペーサを介して前記保護板から前記芯部材に伝達されることを特徴とする。
第２発明によれば、保護板からの抗力はスペーサを介して芯部材に伝達され、フィルムロールでは受けないため、フィルムロールの端面に皺ができるのを抑制することができる。
【０００７】
本発明の第３発明は、上記第２発明において、前記フィルムロールと前記保護板との間で、且つ前記スペーサの周囲には、前記フィルムロールに加わる外力を和らげる緩衝材が介挿されていることを特徴とする。
第３発明によれば、フィルムロールと保護板との間には緩衝材が介挿されているため、何らかの原因で、フィルムロールと保護板とが接近することがあっても、その接近する動きが緩衝材の圧縮変形によって吸収されて、フィルムロールと保護板とが当接することは抑制され、フィルムロールの端面に皺ができるのを抑制することができる。
【図面の簡単な説明】
【０００８】
【図１】本発明の一実施形態の正面図である。
【図２】上記実施形態の下部の分解斜視図である。
【図３】図２のＩＩＩ−ＩＩＩ断面図である。
【図４】上記実施形態の荷造り状態における斜視図である。
【図５】本発明における従来技術を説明するため説明図である。
【図６】図５と同様の従来技術の作用を説明するため説明図である。
【発明を実施するための形態】
【０００９】
図１〜４は、本発明の一実施形態を示す。この実施形態は、菓子袋に加工されるフィルムがロール状に巻かれたフィルムロールに本発明を適用した例である。
フィルムロール１０は、中空のパイプから成る芯部材１１を巻き取りの芯としてフィルム１２が巻かれて構成されている。
フィルムロール１０の運搬時には、フィルムロール１０の両端面に皺が出来るのを抑制するための皺対策構造体２０が取り付けられる。皺対策構造体２０として、まずフィルムロール１０の両端面に外力が加わるのを抑制する平板状の保護板２１がそれぞれ被せられている。各保護板２１は、フィルムロール１０の外径と同程度の直径の円板とされており、樹脂、木材などによって構成されている。保護板２１の円形の中心部には貫通孔２１ａが穿設され、この貫通孔２１ａを介して芯部材１１の中空部内にキャップ２２の軸部２２ａ（本発明の突起部に相当）を挿入することによって、フィルムロール１０の端面に保護板２１が被せられている。キャップ２２は軸部２２ａの端部にフランジ部２２ｂを一体に備えており、キャップ２２の軸部２２ａが保護板２１及び芯部材１１に挿入されたとき、キャップ２２のフランジ部２２ｂが保護板２１の貫通孔２１ａの周りに形成された凹部２１ｂに嵌合されて、キャップ２２が芯部材１１の中空部内に入り過ぎないようにされると共に、挿入されたキャップ２２が保護板２１の板面から突出しないようにされている。
【００１０】
フィルムロール１０の端面に保護板２１が被せられた状態において、芯部材１１と保護板２１とに挟まれる部分で、且つキャップ２２の軸部２２ａの周囲には、フィルムロール１０の重力を支える強度を備えたスペーサ２３が設けられている。スペーサ２３は、芯部材１１と同径、同肉厚、同材料から成り、高さは肉厚と同程度とされている。従って、フィルムロール１０が床面に置かれたとき、フィルムロール１０の重力は全てスペーサ２３で受けて保護板２１に伝達されることになる。換言すると、その重力に対する床面からの抗力はスペーサ２３を介して保護板２１から芯部材１１に伝達され、フィルムロール１０には伝達されない。なお、スペーサ２３を構成する材料は、フィルムロール１０の重力を支える強度を備えるように構成できるものであれば良く、プラスチックス、金属等でも良い。
フィルムロール１０と保護板２１との間で、且つスペーサ２３の周囲には、フィルムロール１０に加わる外力を和らげる段ボール当板２４（本発明の緩衝材に相当）が介挿されている。段ボール当板２４は、段ボール製であるが、発泡プラスチックでも良い。また、段ボール当板２４は、フィルムロール１０と保護板２１との間の空間を埋めるように、その内径にスペーサ２３の外径が嵌まる大きさのドーナツ形状とされている。従って、フィルムロール１０の両端面に段ボール当板２４を介して保護板２１が被せられたとき、それらは全体として一つの円柱形状を成す。
以上の保護板２１、キャップ２２、スペーサ２３、及び段ボール当板２４によって、皺対策構造体２０が構成されている。
フィルムロール１０を運搬するときは、図４のように荷造りされている。即ち、上述のようにフィルムロール１０の両端面に皺対策構造体２０を被せて、フィルムロール１０の外周に汚れ防止用の保護シート３１を巻き付け、その上からベルト３２を巻いてそれらを一体化している。ベルト３２は、芯部材１１の中空部内とフィルムロール１０の外周部との間に巻き付けられ、フィルムロール１０の外周上では略等間隔となる３箇所で巻き付けられている。フィルムロール１０の外周上におけるベルト３２の巻き付け個所は、４箇所以上とされても良い。また、ベルト３２の巻き付けに代えて、皺対策構造体２０を含めてフィルムロール１０の両端部に対応する外周部分を粘着テープで巻いて、フィルムロール１０と皺対策構造体２０とを一体化するようにしても良い。
【００１１】
以上の実施形態によれば、フィルムロール１０の重力に対する保護板２１からの抗力はスペーサ２３を介して芯部材１１に伝達され、フィルムロール１０のフィルム１２部分では受けない。そのため、フィルムロール１０の端面に皺ができるのを抑制することができる。
また、フィルムロール１０と保護板２１との間には段ボール当板２４が介挿されているため、何らかの原因で、フィルムロール１０と保護板２１とが接近することがあっても、その接近する動きが段ボール当板２４の圧縮変形によって吸収されて、フィルムロール１０と保護板２１とが当接することは抑制され、フィルムロール１０の端面に皺ができるのを抑制することができる。フィルムロール１０と保護板２１とが接近する現象は、次の場合に生じる。第１に、図４に基づいて説明したように、フィルムロール１０がベルト３２によって強く巻き付けられて保護板２１が変形した場合、第２に、図６のように保護板２１の外周縁部を下にして床面上にフィルムロール１０を傾けて置いたとき、キャップ２２による芯部材１１の支持が弱く、保護板２１に対してフィルムロール１０が傾いた場合、第３に、芯部材１１に対するフィルム１２の巻き付け強度が弱く、保護板２１からの抗力をスペーサ２３経由で芯部材１１が受けて、芯部材１１がフィルムロール１０から抜けるように軸方向に押された場合である。
【００１２】
以上、特定の実施形態について説明したが、本発明は、それらの外観、構成に限定されず、本発明の要旨を変更しない範囲で種々の変更、追加、削除が可能である。例えば、
１．上記実施形態では、芯部材１１と保護板２１との間に別体のスペーサ２３を設けたが、スペーサ２３は、芯部材１１と一体、又は保護板２１と一体、若しくはキャップ２２と一体としても良い。
２．上記実施形態では、皺対策構造体２０をフィルムロール１０の両端面に設けたが、下方となる端面のみに設けても良い。
３．フィルムの用途は菓子袋用フィルムに限定されない。フィルムロールとされたとき、その端面に外力を受けて座屈が生じ、フィルムに皺を生じさせる軟質の包装フィルムなら何でも良い。
【符号の説明】
【００１３】
１０    フィルムロール
１１    芯部材
１２    フィルム
２０    皺対策構造体
２１    保護板
２２    キャップ
２２ａ  軸部（突起部）
２３    スペーサ
２４    段ボール当板（緩衝材）
３１    保護シート
３２    ベルト
【図１】
2015081165.tif 000003
【図２】
2015081165.tif 000004
【図３】
2015081165.tif 000005
【図４】
2015081165.tif 000006
【図５】
2015081165.tif 000007
【図６】
2015081165.tif 000008